(57)【特許請求の範囲】
【請求項１】
第１の印刷データを設定する第１の印刷データ設定手段と、第２の印刷データを設定する第２の印刷データ設定手段と、前記第１の印刷データ設定手段にて設定された第１の印刷データ上に前記第２の印刷データ設定手段にて設定された第２の印刷データを重ね合わせて編集する印刷データ編集手段と、前記印刷データ編集手段にて編集された印刷データを印字出力する印字手段とを有し、印刷物を作製する印刷物作製システムにおいて、
前記第１の印刷データ設定手段は、前記第１の印刷データの決められた領域に検査用情報を印刷データとして設定し、
前記第２の印刷データ設定手段は、前記第２の印刷データのうち、該第２の印刷データが前記第１の印刷データ上に重ね合わされた際に前記検査用情報と重なる領域に、前記印字手段にて印刷データが印字出力された場合に前記検査用情報を解読不可能とする隠蔽情報を印刷データとして設定し、
前記隠蔽情報は、前記第１の印刷データの当該隠蔽情報と重なる領域の周囲の色と同一の色からなる印刷データであることを特徴とする印刷物作製システム。
【請求項２】
第１の印刷データを設定する第１の印刷データ設定手段と、前記第１の印刷データ設定手段にて設定された第１の印刷データを印字出力する第１の印字手段と、第２の印刷データを設定する第２の印刷データ設定手段と、前記第１の印字手段にて前記第１のデータが印字出力された印刷物上に前記第２の印刷データ設定手段にて設定された第２の印刷データを重ねて印字出力する第２の印字手段とを有し、印刷物を作製する印刷物作製システムにおいて、
前記第１の印刷データ設定手段は、前記第１の印刷データの決められた領域に検査用情報を印刷データとして設定し、
前記第２の印刷データ設定手段は、前記第２の印刷データのうち、該第２の印刷データが前記第１の印字手段にて前記第１のデータが印字出力された印刷物上に重ねて印字出力された際に前記検査用情報と重なる領域に、前記検査用情報を解読不可能とする隠蔽情報を印刷データとして設定し、
前記隠蔽情報は、前記第１の印刷データの当該隠蔽情報と重なる領域の周囲の色と同一の色からなる印刷データであることを特徴とする印刷物作製システム。
【請求項３】
請求項１または請求項２に記載の印刷物作製システムにおいて、
前記検査用情報及び前記隠蔽情報は、前記印刷物毎に異なる領域に設定されることを特徴とする印刷物作製システム。
【請求項４】
請求項１乃至３のいずれか１項に記載の印刷物作製システムにおいて、
前記検査用情報は、前記印刷物を識別可能な情報であることを特徴とする印刷物作製システム。
【発明の詳細な説明】
【技術分野】
【０００１】
本発明は、印刷物を作製する印刷物作製システムに関し、特に、複数の印刷データが重ね合わされて印刷される場合における印刷データの照合技術に関する。
【背景技術】
【０００２】
近年、印刷システムの性能向上に伴い、いわゆるオンデマンド印刷と呼ばれる処理が可能となっており、それを用いて、複数の顧客に対してそれぞれ同一または異なる内容の印刷物を作製して配布することが行われるようになってきている。
【０００３】
例えば、個人を対象とした通信教育の教材について、通信教育の受講者毎のカリキュラムや進捗状況に合わせたテキストが作製され、配送されている。この場合、通信教育の受講者毎にテキストが作製されることになるが、その効率化を図るために、テキストに掲載されるデータをデータベース化しておき、受講者毎のカリキュラムや進捗状況に基づいて、テキストに掲載されるデータやそのレイアウト等を検索し、レイアウトに従って紙面上にデータを割り振り、印刷処理を行う技術が考えられている（例えば、特許文献１参照。）。
【０００４】
また、クレジットカード等の利用明細書においては、利用者に送付される際、利用明細書の他にチラシ等の印刷物が同封される場合があり、その場合においても、近年、利用者毎に異なるチラシ等の印刷物を同封することが行われている。利用者毎に異なる印刷物を作製する場合は、利用者の属性情報や嗜好情報に基づいてチラシに掲載される内容が決められ、印刷物を作製するための印刷データが生成されることになる。
【０００５】
このような印刷システムにおいては、イメージデータとテキストデータというように複数の印刷データが重ね合わされて印刷される場合があり、その場合、これら複数のデータが正しい組み合わせで重ね合わされる必要がある。ところが、上述したように複数の顧客に対して印刷データが顧客毎に異なる場合、複数の印刷データの組み合わせが顧客毎に異なることになるため、複数の印刷データの組み合わせが誤ったものとなってしまう可能性が高くなる。複数の顧客に対する印刷データが顧客毎に異なる場合に、複数の印刷データの組み合わせが誤ったものとなってしまうと、その印刷物が本来送付される顧客とは異なる顧客に送付されてしまうことにもなり、複数の印刷データの組み合わせを確実に照合することが要求される。
【０００６】
ここで、情報がプレ印刷された用紙にその用紙の種類毎に異なる情報を印刷する場合に、用紙の種類毎に異なる領域にパターン印字領域を設けておき、情報とともにその情報毎に決められた領域に判定パターンを印字し、この判定パターンがパターン印字領域に印字されているかどうかによって、情報がプレ印刷された用紙とその用紙に印刷された情報とを照合する技術が考えられている（例えば、特許文献２参照。）。この技術を用いれば、プレ印刷される印刷データとその後に印刷されるデータとを照合することができることになる。
【特許文献１】特開２００２−４６３１４号公報
【特許文献２】特開２００３−２６０８４４号公報
【発明の開示】
【発明が解決しようとする課題】
【０００７】
しかしながら、上述したように情報が印刷される用紙にパターン印字領域を設けておき、情報とともに判定パターンを印字するものにおいては、判定パターンがパターン印字領域に印字されているかどうかによって、情報がプレ印刷された用紙とその用紙に印刷された情報とを照合することになるため、情報がプレ印刷された用紙とその用紙に印刷された情報とを照合する際、情報が印刷される用紙の種類毎にパターン印字領域がどの領域に設けられているかをデータ上で把握しておかなければならず、特に用紙の種類が多い場合はデータ管理が煩雑になってしまうという問題点がある。
【０００８】
本発明は、上述したような従来の技術が有する問題点に鑑みてなされたものであって、データ管理を煩雑にすることなく、印刷物に印刷される複数の印刷データの組み合わせを検査することができる印刷物作製システムを提供することを目的とする。
【課題を解決するための手段】
【０００９】
上記目的を達成するために本発明は、
第１の印刷データを設定する第１の印刷データ設定手段と、第２の印刷データを設定する第２の印刷データ設定手段と、前記第１の印刷データ設定手段にて設定された第１の印刷データ上に前記第２の印刷データ設定手段にて設定された第２の印刷データを重ね合わせて編集する印刷データ編集手段と、前記印刷データ編集手段にて編集された印刷データを印字出力する印字手段とを有し、印刷物を作製する印刷物作製システムにおいて、
前記第１の印刷データ設定手段は、前記第１の印刷データの決められた領域に検査用情報を印刷データとして設定し、
前記第２の印刷データ設定手段は、前記第２の印刷データのうち、該第２の印刷データが前記第１の印刷データ上に重ね合わされた際に前記検査用情報と重なる領域に、前記印字手段にて印刷データが印字出力された場合に前記検査用情報を解読不可能とする隠蔽情報を印刷データとして設定し、
前記隠蔽情報は、前記第１の印刷データの当該隠蔽情報と重なる領域の周囲の色と同一の色からなる印刷データであることを特徴とする。
【００１０】
上記のように構成された本発明においては、第１の印刷データ設定手段にて設定された第１の印刷データ上に、第２の印刷データ設定手段にて設定された第２の印刷データが重ね合わされて編集され、印刷データとして印字出力されるが、第１の印刷データには、第１の印刷データ設定手段において、決められた領域に検査用情報が印刷データとして設定されており、また、第２の印刷データには、第２の印刷データ設定手段において、第２の印刷データが第１の印刷データ上に重ね合わされた際に検査用情報と重なる領域に、印刷データが印字出力された場合に検査用情報を解読不可能とする隠蔽情報が印刷データとして設定されているので、第１の印刷データ上に第２の印刷データが重ね合わされている場合、検査用情報が隠蔽情報によって解読不可能となり、第１の印刷データ上に第２の印刷データが重ね合わされていない場合、検査用情報が解読可能となる。
【００１１】
このように、複数の印刷データが重ね合わされて作製される印刷物において、複数の印刷データが重ね合わされている場合に検査用情報が解読不可能となることで、第１の印刷データ上に第２の印刷データが重ね合わされていると判断されることとなり、印刷物が作製された後に複数の印刷データの組み合わせを検査する際にデータ管理が煩雑となることがない。
【００１２】
また、第１の印刷データを設定する第１の印刷データ設定手段と、前記第１の印刷データ設定手段にて設定された第１の印刷データを印字出力する第１の印字手段と、第２の印刷データを設定する第２の印刷データ設定手段と、前記第１の印字手段にて前記第１のデータが印字出力された印刷物上に前記第２の印刷データ設定手段にて設定された第２の印刷データを重ねて印字出力する第２の印字手段とを有し、印刷物を作製する印刷物作製システムにおいて、
前記第１の印刷データ設定手段は、前記第１の印刷データの決められた領域に検査用情報を印刷データとして設定し、
前記第２の印刷データ設定手段は、前記第２の印刷データのうち、該第２の印刷データが前記第１の印字手段にて前記第１のデータが印字出力された印刷物上に重ねて印字出力された際に前記検査用情報と重なる領域に、前記検査用情報を解読不可能とする隠蔽情報を印刷データとして設定し、
前記隠蔽情報は、前記第１の印刷データの当該隠蔽情報と重なる領域の周囲の色と同一の色からなる印刷データであることを特徴とするような構成とすることも考えられる。
【００１３】
その場合は、第１の印字手段にて第１の印刷データが印字出力された印刷物上に、第２の印刷データ設定手段にて設定された第２の印刷データが重ねて印字出力されるが、第１の印刷データには、第１の印刷データ設定手段において、決められた領域に検査用情報が印刷データとして設定されており、また、第２の印刷データには、第２の印刷データ設定手段において、第２の印刷データが印刷物上に印字出力された際に検査用情報と重なる領域に、検査用情報を解読不可能とする隠蔽情報が印刷データとして設定されているので、第１の印刷データ上に第２の印刷データが重ねて印字出力されている場合、検査用情報が隠蔽情報によって解読不可能となり、第１の印刷データ上に第２の印刷データが重ねて印字出力されていない場合、検査用情報が解読可能となる。
【００１４】
また、検査用情報及び隠蔽情報を、印刷物毎に異なる領域に設定した場合は、印刷物毎に、重ね合わされて印字出力される第１の印刷データと第２の印刷データとの組み合わせが正しい場合、検査用情報が隠蔽情報によって解読不可能となり、重ね合わされて印字出力される第１の印刷データと第２の印刷データとの組み合わせが正しくない場合、検査用情報が解読可能となる。
【００１５】
また、第１の印刷データに設定される検査用情報を、印刷物を識別可能な情報とすることにより、第１の印刷データと第２の印刷データとの組み合わせが正しくない場合に、解読可能となった検査用情報によってその印刷物を識別することができる。
【００１６】
また、第２の印刷データに設定される隠蔽情報を、第１の印刷データの隠蔽情報と重なる領域の周囲の色と同一の色からなる印刷データとすることにより、第１の印刷データと第２の印刷データとの組み合わせが正しい場合に、検査用情報が解読されないとともに隠蔽情報が視認されないようになり、印刷物のデザインが損なわれてしまうことがない。
【発明の効果】
【００１７】
以上説明したように本発明においては、複数の印刷データが重ね合わされて作製される印刷物において、複数の印刷データが重ね合わされている場合に検査用情報が解読不可能となる構成としたため、データ管理を煩雑にすることなく、印刷物に印刷される複数の印刷データを照合することができる。
【００１８】
また、検査用情報及び隠蔽情報を、印刷物毎に異なる領域に設定したものにおいては、印刷物毎に、重ね合わされて印字出力される第１の印刷データと第２の印刷データとの組み合わせが正しい場合、検査用情報が隠蔽情報によって解読不可能となり、重ね合わされて印字出力される第１の印刷データと第２の印刷データとの組み合わせが正しくない場合、検査用情報が解読可能となり、第１の印刷データ上に第２の印刷データが重ね合わされた場合であってもその組み合わせが正しくない場合、その旨を検出することができる。
【００１９】
また、第１の印刷データに設定される検査用情報が、印刷物を識別可能な情報であるものにおいては、第１の印刷データと第２の印刷データとの組み合わせが正しくない場合に、解読可能となった検査用情報によってその印刷物を識別することができる。
【００２０】
また、第２の印刷データに設定される隠蔽情報が、第１の印刷データの隠蔽情報と重なる領域の周囲の色と同一の色からなる印刷データであるものにおいては、第１の印刷データと第２の印刷データとの組み合わせが正しい場合に、検査用情報が解読されないとともに隠蔽情報が視認されないようになり、印刷物のデザインを損ねてしまうことを回避することができる。
【発明を実施するための最良の形態】
【００２１】
以下に、本発明の実施の形態について図面を参照して説明する。
【００２２】
（第１の実施の形態）
図１は、本発明の印刷物作製システムの第１の実施の形態を示す図である。
【００２３】
本形態は図１に示すように、印刷物の提供先を特定する顧客情報特定部１０と、第１の印刷データであるコンテンツ印刷データを設定する第１の印刷データ設定手段であるコンテンツデータ設定部２０と、第２の印刷データであるテキスト印刷データを設定する第２の印刷データ設定手段であるテキストデータ設定部３０と、コンテンツデータ設定部２０にて設定されたコンテンツ印刷データ上にテキストデータ設定部３０にて設定されたテキスト印刷データを重ね合わせて編集する印刷データ編集部４０と、印刷データ編集部４０にて編集された印刷データを印字出力する印字部５０とから構成されている。
【００２４】
顧客情報特定部１０は、顧客情報データベース６１を参照して印刷物の提供先を特定する。顧客情報データベース６１には、印刷物の提供先となる顧客の氏名や住所等の属性情報が顧客毎に付与された顧客ＩＤと対応づけて登録されており、また、この顧客ＩＤには、顧客に提供する冊子を識別可能な冊子ＩＤと、その冊子を構成する印刷物であるページの番号と、そのページ毎に印刷されるコンテンツデータを識別可能なコンテンツＩＤ及びテキストデータを識別可能なテキストＩＤとが対応づけて登録されている。
【００２５】
コンテンツデータ設定部２０は、顧客情報特定部１０にて特定された顧客に対して印刷物に印刷するコンテンツデータを画像コンテンツデータベース６２から検索し、コンテンツ印刷データを設定する。画像コンテンツデータベース６２には、印刷物に印刷されるコンテンツデータが、コンテンツデータを識別可能なコンテンツＩＤと対応づけて登録されており、コンテンツデータ設定部２０は、顧客情報特定部１０から通知されたコンテンツＩＤを用いてコンテンツデータを画像コンテンツデータベース６２から検索する。この際、コンテンツデータ設定部２０は、顧客に提供する冊子のページ毎に異なる領域に検査用情報となるページＩＤを印刷データとして設定する。このページＩＤはページを識別可能なものである。
【００２６】
テキストデータ設定部３０は、顧客情報特定部１０にて特定された顧客に対して印刷物に印刷するテキストデータをテキストデータベース６３から検索し、テキスト印刷データを設定する。テキストデータベース６３には、印刷物に印刷されるテキストデータが、テキストデータを識別可能なテキストＩＤと対応づけて登録されており、テキストデータ設定部３０は、顧客情報特定部１０から通知されたテキストＩＤを用いてテキストデータをテキストデータベース６３から検索する。この際、テキストデータ設定部３０は、顧客に提供する冊子のページ毎に異なる領域に隠蔽情報となるベタ印刷情報を印刷データとして設定する。このベタ印刷情報は、設定された領域を所定の色で塗りつぶすような印刷を行うための情報であり、設定される領域は、テキスト印刷データがコンテンツ印刷データ上に重ね合わされた際にページＩＤと重なる領域となる。
【００２７】
印刷データ編集部４０は、コンテンツデータ設定部２０にて設定されたコンテンツ印刷データ上にテキストデータ設定部３０にて設定されたテキスト印刷データを重ね合わせることにより、印刷データを編集し、印字部５０に出力する。
【００２８】
印字部５０は、印刷データ編集部４０にて編集されて出力された印刷データを印字出力する。
【００２９】
以下に、上記のように構成された印刷物作製システムにおける印刷物の作製方法についてフローチャートを参照して説明する。なお、本形態においては、冊子を顧客に提供するものとし、その冊子を構成するページのそれぞれが本発明における印刷物となる。
【００３０】
図２は、図１に示した印刷物作製システムにおける印刷物の作製方法を説明するためのフローチャートである。
【００３１】
顧客に提供する冊子を印刷する場合は、まず、冊子を提供する顧客が、顧客毎に付与された顧客ＩＤによって指定されることになる（ステップＳ１）。
【００３２】
すると、顧客情報特定部１０において、顧客情報データベース６１が参照され、指定された顧客ＩＤに対応づけられた冊子ＩＤ、コンテンツＩＤ及びテキストＩＤが検索される（ステップＳ２）。なおこの際、そのコンテンツＩＤによって識別されるコンテンツデータが印刷されるページ番号と、テキストＩＤによって識別されるテキストデータが印刷されるページ番号も検索される。
【００３３】
顧客情報特定部１０にて顧客情報データベース６１から検索された冊子ＩＤ、コンテンツＩＤ及びそのコンテンツＩＤによって識別されるコンテンツデータが印刷されるページ番号はコンテンツデータ設定部２０に通知され（ステップＳ３）、また、冊子ＩＤ、テキストＩＤ及びこのテキストＩＤによって識別されるテキストデータが印刷されるページ番号はテキストデータ設定部３０に通知される（ステップＳ４）。
【００３４】
コンテンツデータ設定部２０においては、画像コンテンツデータベース６２が参照され、顧客情報特定部１０から通知されたコンテンツＩＤによって識別されるコンテンツデータが検索される（ステップＳ５）。
【００３５】
また、顧客情報特定部１０から通知された冊子ＩＤ及びページ番号によって決められた領域に、ページ番号をバーコード表現したページＩＤが印刷データとして設定される（ステップＳ６）。なお、このページＩＤが設定される領域は、冊子ＩＤ及びページ番号に応じてコンテンツデータ設定部２０にて決められていてもよいし、顧客情報特定部１０から通知されてもよい。
【００３６】
次に、コンテンツデータ設定部２０において、画像コンテンツデータベース６２から検索されたコンテンツデータに、ステップＳ６にて設定されたページＩＤが組み込まれ、さらに冊子ＩＤ及びコンテンツＩＤが組み込まれたコンテンツ印刷データが設定される（ステップＳ７）。
【００３７】
図３は、図１に示したコンテンツデータ設定部２０にて設定されたコンテンツ印刷データの印刷イメージを示す図である。
【００３８】
図１に示したコンテンツデータ設定部２０にて設定されたコンテンツ印刷データ１は図３に示すように、画像コンテンツデータベース６２から検索されたコンテンツデータ１ａが指定された領域に設定されているとともに、バーコード表示された冊子ＩＤ１ｂ、コンテンツＩＤ１ｃ及びページＩＤ１ｄが設定されている。このバーコード表示された冊子ＩＤ１ｂ、コンテンツＩＤ１ｃ及びページＩＤ１ｄのうち、冊子ＩＤ１ｂ及びコンテンツＩＤ１ｃは、全ての冊子及び全てのページにて共通の領域に設定され、ページＩＤ１ｃのみは、ページ毎に異なる領域に設定されている。
【００３９】
上記のように設定されたコンテンツ印刷データは、冊子ＩＤ及びページ番号とともに印刷データ編集部４０に通知される（ステップＳ８）。
【００４０】
また、テキストデータ設定部３０においては、テキストデータベース６３が参照され、顧客情報特定部１０から通知されたテキストＩＤによって識別されるテキストデータが検索される（ステップＳ９）。
【００４１】
また、顧客情報特定部１０から通知された冊子ＩＤ及びページ番号によって決められた領域に、決められた色でベタ印刷されるベタ印刷情報が印刷データとして設定される（ステップＳ１０）。なお、このベタ印刷情報が設定される領域は、テキストデータ設定部３０にて設定されたテキスト印刷データが、コンテンツデータ設定部２０にて設定されたコンテンツ印刷データ上に重ね合わされた際にページＩＤと重なる領域であり、冊子ＩＤ及びページ番号に応じてテキストデータ設定部３０にて決められていてもよいし、顧客情報特定部１０から通知されてもよい。ただし、冊子ＩＤ及びページ番号に応じてテキストデータ設定部３０にて決められている場合は、冊子ＩＤ及びページ番号に応じた領域をコンテンツデータ設定部２０との間で同一としておく必要がある。
【００４２】
次に、テキストデータ設定部３０において、テキストデータベース６３から検索されたテキストデータに、ステップＳ１０にて設定されたベタ印刷情報が組み込まれたテキスト印刷データが設定される（ステップＳ１１）。
【００４３】
図４は、図１に示したテキストデータ設定部３０にて設定されたテキスト印刷データの印刷イメージを示す図である。
【００４４】
図１に示したテキストデータ設定部３０にて設定されたテキスト印刷データ２は図４に示すように、テキストデータベース６３から検索されたテキストデータ２ａが指定された領域に設定されているとともに、ベタ印刷情報２ｂが設定されている。
【００４５】
上記のように設定されたテキスト印刷データは、冊子ＩＤ及びページ番号とともに印刷データ編集部４０に通知される（ステップＳ１２）。
【００４６】
印刷データ編集部４０においては、コンテンツデータ設定部２０から通知されたコンテンツ印刷データ上にテキストデータ設定部３０から通知されたテキスト印刷データが重ね合わされ、印刷データが編集される（ステップＳ１３）。この際、印刷データ編集部４０においては、コンテンツデータ設定部２０及びテキストデータ設定部３０からコンテンツ印刷データあるいはテキスト印刷データとともに通知されてきた冊子ＩＤ及びページ番号を用いて、コンテンツ印刷データとテキスト印刷データとを冊子及びページ毎に組み合わせることになる。
【００４７】
印刷データ編集部４０にて編集された印刷データは印字部５０に通知され（ステップＳ１４）、印字部５０において、印刷データが印字出力される（ステップＳ１５）。
【００４８】
図５は、図１に示した印字部５０から印字出力された印刷物を示す図である。
【００４９】
図１に示した印字部５０から印字出力された印刷物は図５に示すように、コンテンツデータ設定部２０から通知されたコンテンツ印刷データに設定されたコンテンツデータ１ａ上に、テキストデータ設定部３０から通知されたテキスト印刷データに設定されたテキストデータ２ａが重ね合わされて印刷されているとともに、コンテンツ印刷データに設定された冊子ＩＤ１ｂ及びコンテンツＩＤ１ｃが印刷されている。ところが、コンテンツ印刷データに設定されたページＩＤ１ｄは、テキスト印刷データに設定されたベタ印刷情報２ｂによって隠蔽され、印字されていない。この際、ベタ印刷情報２ｂを、コンテンツ印刷データのページＩＤ１ｄと重なる領域の周囲の色と同一の色からなる印刷データとすれば、ベタ印刷情報２ｂも視認されないようになり、印刷物のデザインを損ねてしまうことを回避することができる。
【００５０】
ここで、コンテンツ印刷データとテキスト印刷データとが正しく組み合わされていない場合について説明する。
【００５１】
図６は、図１に示した印刷物作製システムにおいてコンテンツ印刷データとテキスト印刷データとが正しく組み合わされていない場合の印刷物を示す図であり、（ａ）はコンテンツ印刷データ上にテキスト印刷データが重ね合わされていない状態を示す図、（ｂ）はコンテンツ印刷データ上に誤ったテキスト印刷データが重ね合わされた状態を示す図である。
【００５２】
コンテンツ印刷データ上にテキスト印刷データが重ね合わされていない場合は図６（ａ）に示すように、コンテンツ印刷データに設定されたページＩＤ１ｄと重なる領域にベタ印刷情報が設定されていないため、印字部５０から印字出力された印刷物においてはページＩＤ１ｄが解読可能な状態となっている。
【００５３】
また、コンテンツ印刷データ上に誤ったテキスト印刷データが重ね合わされた場合は図６（ｂ）に示すように、コンテンツデータ１ａとの組み合わせが正しくないテキストデータ２０２ａが印字されているとともに、コンテンツ印刷データに設定されたページＩＤ１ｄと重なる領域とは異なる領域にベタ印刷情報２０２ｂが設定されているため、印字部５０から印字出力された印刷物においてはページＩＤ１ｄが解読可能な状態となっている。
【００５４】
このように、印字部５０から印字出力された印刷物において、ページＩＤが解読不可能な場合は、コンテンツ印刷データとテキスト印刷データとが正しく組み合わされていることとなり、ページＩＤが解読可能な場合は、コンテンツ印刷データとテキスト印刷データとが正しく組み合わされていないこととなる。
【００５５】
以下に、上述した印刷物作製システムにて作製された印刷物の検査方法について説明する。
【００５６】
図７は、図１に示した印刷物作製システムにて作製された印刷物の検査方法を説明するためのフローチャートである。
【００５７】
バーコードリーダを用いて、印刷物に印字されたバーコード情報を読み取り（ステップＳ２１）、まず、印刷物に印刷された冊子ＩＤ１ｂとコンテンツＩＤ１ｃとの組み合わせが、顧客情報データベース６１に登録されている組み合わせであるかどうかが確認されることにより、冊子ＩＤとコンテンツＩＤとの照合が行われる（ステップＳ２２）。
【００５８】
冊子ＩＤとコンテンツＩＤとの組み合わせが顧客情報データベース６１に登録されている組み合わせである場合は（ステップＳ２３）、次に、バーコードリーダを用いて読み取られたバーコード情報の中にページＩＤが含まれているかどうかが確認される（ステップＳ２４）。
【００５９】
ページＩＤは上述したように、コンテンツ印刷データとテキスト印刷データとが正しく組み合わされている場合は解読不可能となるため、バーコードリーダによって読み取られたバーコード情報の中にはページＩＤが含まれていないこととなる。そのため、バーコードリーダを用いて読み取られたバーコード情報の中にページＩＤが含まれていない場合は、コンテンツ印刷データとテキスト印刷データとが正しく組み合わされていると判断される（ステップＳ２５）。
【００６０】
一方、バーコードリーダを用いて読み取られたバーコード情報の中にページＩＤが含まれている場合は、そのページＩＤによってページ番号が認識され（ステップＳ２６）、そのページ番号のページにおけるコンテンツ印刷データとテキスト印刷データとが正しく組み合わされていないと判断され、照合ＮＧとされる（ステップＳ２７）。
【００６１】
また、冊子ＩＤとコンテンツＩＤとの組み合わせが顧客情報データベース６１に登録されている組み合わせではない場合においても、照合ＮＧとされる。
【００６２】
（第２の実施の形態）
図８は、本発明の印刷物作製システムの第２の実施の形態を示す図である。
【００６３】
本形態は図８に示すように、印刷物の提供先を特定する顧客情報特定部１１０と、第１の印刷データであるコンテンツ印刷データを設定する第１の印刷データ設定手段であるコンテンツデータ設定部１２０と、コンテンツデータ設定部１２０にて設定されたコンテンツ印刷データを印字出力する第１の印字手段であるコンテンツ印字部１５０ａと、第２の印刷データであるテキスト印刷データを設定する第２の印刷データ設定手段であるテキストデータ設定部１３０と、コンテンツ印字部１５０ａにてコンテンツ印刷データが印字出力された印刷物上にテキスト印刷データ設定部１３０にて設定されたテキスト印刷データを重ねて印字出力する第２の印字手段であるテキスト印字部１５０ｂとから構成されている。
【００６４】
顧客情報特定部１１０は、顧客情報データベース６１を参照して印刷物の提供先を特定する。なお、顧客情報データベース６１は、第１の実施の形態にて示したものと同様の構成となっている。
【００６５】
コンテンツデータ設定部１２０は、顧客情報特定部１１０にて特定された顧客に対して印刷物に印刷するコンテンツデータを画像コンテンツデータベース６２から検索し、コンテンツ印刷データを設定する。なお、画像コンテンツデータベース６２は、第１の実施の形態にて示したものと同様の構成となっており、コンテンツデータ設定部１２０は、顧客情報特定部１１０から通知されたコンテンツＩＤを用いてコンテンツデータを画像コンテンツデータベース６２から検索する。この際、コンテンツデータ設定部１２０は、顧客に提供する冊子のページ毎に異なる領域に検査用情報となるページＩＤを印刷データとして設定する。このページＩＤはページを識別可能なものである。
【００６６】
テキストデータ設定部１３０は、顧客情報特定部１１０にて特定された顧客に対して印刷物に印刷するテキストデータをテキストデータベース６３から検索し、テキスト印刷データを設定する。なお、テキストデータベース６３は、第１の実施の形態にて示したものと同様の構成となっており、テキストデータ設定部１３０は、顧客情報特定部１１０から通知されたテキストＩＤを用いてテキストデータをテキストデータベース６３から検索する。この際、テキストデータ設定部１３０は、顧客に提供する冊子のページ毎に異なる領域に隠蔽情報となるベタ印刷情報を印刷データとして設定する。このベタ印刷情報は、設定された領域を所定の色で塗りつぶすような印刷を行うための情報であり、設定される領域は、コンテンツ印刷データが印字出力された印刷物上にテキスト印刷データが重ねて印刷された際にページＩＤと重なる領域となる。
【００６７】
コンテンツ印字部１５０ａは、コンテンツデータ設定部１２０にて設定されたコンテンツ印刷データを印字出力する。
【００６８】
テキスト印字部１５０ｂは、コンテンツ印字部１５０ａにてコンテンツ印刷データが印字出力された印刷物上にテキスト印刷データ設定部１３０にて設定されたテキスト印刷データを重ねて印字出力する。
【００６９】
以下に、上記のように構成された印刷物作製システムにおける印刷物の作製方法についてフローチャートを参照して説明する。なお、本形態においては、冊子を顧客に提供するものとし、その冊子を構成するページのそれぞれが本発明における印刷物となる。
【００７０】
図９は、図８に示した印刷物作製システムにおける印刷物の作製方法を説明するためのフローチャートである。
【００７１】
顧客に提供する冊子を印刷する場合は、まず、冊子を提供する顧客が、顧客毎に付与された顧客ＩＤによって指定されることになる（ステップＳ１０１）。
【００７２】
すると、顧客情報特定部１１０において、顧客情報データベース６１が参照され、指定された顧客ＩＤに対応づけられた冊子ＩＤ、コンテンツＩＤ及びテキストＩＤが検索される（ステップＳ１０２）。なおこの際、そのコンテンツＩＤによって識別されるコンテンツデータが印刷されるページ番号と、テキストＩＤによって識別されるテキストデータが印刷されるページ番号も検索される。
【００７３】
顧客情報特定部１１０にて顧客情報データベース６１から検索された冊子ＩＤ、コンテンツＩＤ及びそのコンテンツＩＤによって識別されるコンテンツデータが印刷されるページ番号はコンテンツデータ設定部１２０に通知され（ステップＳ１０３）、また、冊子ＩＤ、テキストＩＤ及びこのテキストＩＤによって識別されるテキストデータが印刷されるページ番号はテキストデータ設定部１３０に通知される（ステップＳ１０４）。
【００７４】
コンテンツデータ設定部１２０においては、画像コンテンツデータベース６２が参照され、顧客情報特定部１１０から通知されたコンテンツＩＤによって識別されるコンテンツデータが検索される（ステップＳ１０５）。
【００７５】
また、顧客情報特定部１１０から通知された冊子ＩＤ及びページ番号によって決められた領域に、ページ番号をバーコード表現したページＩＤが印刷データとして設定される（ステップＳ１０６）。なお、このページＩＤが設定される領域は、冊子ＩＤ及びページ番号に応じてコンテンツデータ設定部１２０にて決められていてもよいし、顧客情報特定部１１０から通知されてもよい。
【００７６】
次に、コンテンツデータ設定部１２０において、画像コンテンツデータベース６２から検索されたコンテンツデータに、ステップＳ１０６にて設定されたページＩＤが組み込まれ、さらに冊子ＩＤ及びコンテンツＩＤが組み込まれたコンテンツ印刷データが設定される（ステップＳ１０７）。
【００７７】
上記のように設定されたコンテンツ印刷データは、コンテンツ印字部１５０ａに通知される（ステップＳ１０８）。
【００７８】
また、テキストデータ設定部１３０においては、テキストデータベース６３が参照され、顧客情報特定部１１０から通知されたテキストＩＤによって識別されるテキストデータが検索される（ステップＳ１０９）。
【００７９】
また、顧客情報特定部１１０から通知された冊子ＩＤ及びページ番号によって決められた領域に、決められた色でベタ印刷されるベタ印刷情報が印刷データとして設定される（ステップＳ１１０）。なお、このベタ印刷情報が設定される領域は、テキストデータ設定部１３０にて設定されたテキスト印刷データが、コンテンツデータ設定部１２０にて設定されたコンテンツ印刷データが印字出力された印刷物上に重ねて印字出力された際にページＩＤと重なる領域であり、冊子ＩＤ及びページ番号に応じてテキストデータ設定部１３０にて決められていてもよいし、顧客情報特定部１１０から通知されてもよい。ただし、冊子ＩＤ及びページ番号に応じてテキストデータ設定部１３０にて決められている場合は、冊子ＩＤ及びページ番号に応じた領域をコンテンツデータ設定部１２０との間で同一としておく必要がある。
【００８０】
次に、テキストデータ設定部１３０において、テキストデータベース６３から検索されたテキストデータに、ステップＳ１１０にて設定されたベタ印刷情報が組み込まれたテキスト印刷データが設定される（ステップＳ１１１）。
【００８１】
上記のように設定されたテキスト印刷データは、テキスト印字部１５０ｂに通知される（ステップＳ１１２）。
【００８２】
コンテンツ印字部１５０ａにおいては、コンテンツデータ設定部１２０にて設定されたコンテンツ印刷データが印字出力される（ステップＳ１１３）。
【００８３】
図１０は、図８に示したコンテンツ印字部１５０ａからコンテンツ印刷データが印字出力された印刷物を示す図である。
【００８４】
図１０に示すように、図８に示したコンテンツ印字部１５０ａからコンテンツ印刷データが印字出力された印刷物には、画像コンテンツデータベース６２から検索されたコンテンツデータ１０１ａが指定された領域に印字されているとともに、バーコード表示された冊子ＩＤ１０１ｂ、コンテンツＩＤ１０１ｃ及びページＩＤ１０１ｄが印字されている。このバーコード表示された冊子ＩＤ１０１ｂ、コンテンツＩＤ１０１ｃ及びページＩＤ１０１ｄのうち、冊子ＩＤ１０１ｂ及びコンテンツＩＤ１０１ｃは、全ての冊子及び全てのページにて共通の領域に印字され、ページＩＤ１０１ｃのみは、ページ毎に異なる領域に印字されている。
【００８５】
その後、テキスト印字部１５０ｂにおいて、コンテンツ印字部１５０ａにてコンテンツ印刷データが印字出力された印刷物上にテキスト印刷データ設定部１３０にて設定されたテキスト印刷データが重ねて印字出力される（ステップＳ１１４）。
【００８６】
図１１は、図８に示したテキスト印字部１５０ｂから印字出力された印刷物を示す図である。
【００８７】
図８に示したテキスト印字部１５０ｂから印字出力された印刷物は図１１に示すように、コンテンツ印字部１５０ａにて印字出力されたコンテンツデータ１０１ａ上に、テキストデータ設定部１３０から通知されたテキスト印刷データに設定されたテキストデータ１０２ａが重ね合わされて印刷されているとともに、コンテンツ印字部１５０ａにて印字出力された冊子ＩＤ１０１ｂ及びコンテンツＩＤ１０１ｃが掲載されている。ところが、コンテンツ印字部１５０ａにて印字出力されたページＩＤ１０１ｄは、テキスト印字部１５０ｂにて印字出力されたベタ印刷情報１０２ｂによって隠蔽され、解読不可能となっている。この際、ベタ印刷情報１０２ｂを、コンテンツ印刷データのページＩＤ１０１ｄと重なる領域の周囲の色と同一の色で印字すれば、ベタ印刷情報１０２ｂが視認しにくくなり、印刷物のデザインを損ねてしまうことを回避することができる。
【００８８】
上述したように本形態においても、第１の実施の形態と同様に、コンテンツ印刷データとテキスト印刷データとが正しく組み合わされている場合は、テキスト印字部１５０ｂから印字出力された印刷物においてページＩＤが解読不可能となり、コンテンツ印刷データとテキスト印刷データとが正しく組み合わされていない場合は、テキスト印字部１５０ｂから印字出力された印刷物においてページＩＤが解読可能となるため、このページＩＤを検出することにより、コンテンツ印刷データとテキスト印刷データとが正しく組み合わされているかどうかを判断することができる。
【００８９】
なお、上述した２つの実施の形態においては、隠蔽情報として、設定された領域を所定の色で塗りつぶすような印刷を行うためのベタ印刷情報を用いたが、本発明の隠蔽情報は、網目のような印刷を行うためのもの等、ページＩＤ等の検査用情報に重ねて印字された場合に検査用情報を解読不可能とするものであればよい。
【図面の簡単な説明】
【００９０】
【図１】本発明の印刷物作製システムの第１の実施の形態を示す図である。
【図２】図１に示した印刷物作製システムにおける印刷物の作製方法を説明するためのフローチャートである。
【図３】図１に示したコンテンツデータ設定部にて設定されたコンテンツ印刷データの印刷イメージを示す図である。
【図４】図１に示したテキストデータ設定部にて設定されたテキスト印刷データの印刷イメージを示す図である。
【図５】図１に示した印字部から印字出力された印刷物を示す図である。
【図６】図１に示した印刷物作製システムにおいてコンテンツ印刷データとテキスト印刷データとが正しく組み合わされていない場合の印刷物を示す図であり、（ａ）はコンテンツ印刷データ上にテキスト印刷データが重ね合わされていない状態を示す図、（ｂ）はコンテンツ印刷データ上に誤ったテキスト印刷データが重ね合わされた状態を示す図である。
【図７】図１に示した印刷物作製システムにて作製された印刷物の検査方法を説明するためのフローチャートである。
【図８】本発明の印刷物作製システムの第２の実施の形態を示す図である。
【図９】図８に示した印刷物作製システムにおける印刷物の作製方法を説明するためのフローチャートである。
【図１０】図８に示したコンテンツ印字部からコンテンツ印刷データが印字出力された印刷物を示す図である。
【図１１】図８に示したテキスト印字部から印字出力された印刷物を示す図である。
【符号の説明】
【００９１】
１    コンテンツ印刷データ
１ａ，１０１ａ    コンテンツデータ
１ｂ，１０１ｂ    冊子ＩＤ
１ｃ，１０１ｃ    コンテンツＩＤ
１ｄ，１０１ｄ    ページＩＤ
２    テキスト印刷データ
２ａ，１０２ａ，２０２ａ    テキストデータ
２ｂ，１０２ｂ，２０２ｂ    ベタ印刷情報
１０，１１０    顧客情報特定部
２０，１２０    コンテンツデータ設定部
３０，１３０    テキストデータ設定部
４０    印刷データ編集部
５０    印字部
６１    顧客情報データベース
６２    画像コンテンツデータベース
６３    テキストデータベース
１５０ａ    コンテンツ印字部
１５０ｂ    テキスト印字部
【図１】
0004933964.tif 000002
【図２】
0004933964.tif 000003
【図３】
0004933964.tif 000004
【図４】
0004933964.tif 000005
【図５】
0004933964.tif 000006
【図６】
0004933964.tif 000007
【図７】
0004933964.tif 000008
【図８】
0004933964.tif 000009
【図９】
0004933964.tif 000010
【図１０】
0004933964.tif 000011
【図１１】
0004933964.tif 000012